(57)【要約】【課題】充電用ケーブルを、使用中に給電設備に締結して取り外し不可能にロックする装置を提供する。【解決手段】ロック装置１は、拘束位置と解放位置間を回転可能な蓋体３と、キー６の操作で、止め金７を回転させて、蓋体３を拘束位置に錠止する錠前５と、錠前５の操作を制御するトリガ８，９とを具備する。トリガ８は、凹部２ａ内のケーブルＣに押されて施錠阻害位置から施錠許容位置へ移動自在で、常時は施錠阻害位置に付勢される。トリガ９は、蓋体３が拘束位置に配置されるとき、これに押されて施錠阻害位置から施錠許容位置へ移動自在で、常時は施錠阻害位置に付勢される。トリガ８，９が施錠阻害位置にあるとき、施錠阻害部８ｂ、９ｂが、止め金７の回転進路上にあって、それの施錠方向への回転を阻止する。【選択図】図５
2012003888.tif 000002
【特許請求の範囲】
【請求項１】
ケーブルの一端に、このケーブルより大径の受電コネクタ、他端に、ケーブルより大径の給電コネクタをそれぞれ備えた充電用ケーブルを、使用中に給電設備に締結して取り外し不可能にロックする装置であって、
給電設備に固着され、外側面にケーブルを受け入れる受け凹部を有するハウジングと、
このハウジングの受け凹部にケーブルを受け入れた状態で当該受け凹部上を横断してケーブルの抜き出しを不可能とする拘束位置と、受け凹部上から退避した解放位置との間を正逆回転するように、ハウジングに枢支される蓋体と、
この蓋体を拘束位置で施錠するために前記ハウジングに固着され、施錠時にのみキーを抜き差し可能な錠前と、
この錠前のロータに結合され、施錠位置と解錠位置の間を回転自在で、施錠位置において拘束位置にある前記蓋体に係合してこれを錠止する止め金と、
施錠阻害位置と施錠許容位置との間を往復移動自在に前記ハウジングに支持され、常時は施錠阻害位置へ付勢され、施錠阻害位置において前記受け凹部内へ突出する受動部と、施錠阻害位置において前記止め金の施錠方向の回転進路上に配置される施錠阻害部とを具備する第１のトリガと、
同様に、施錠阻害位置と施錠許容位置との間を往復移動自在に前記ハウジングに支持され、常時は施錠阻害位置へ付勢され、前記蓋体が拘束位置においてハウジングに重なる位置においてハウジングから突出する受動部と、施錠阻害位置において前記止め金の施錠方向の回転進路上に配置される施錠阻害部とを具備する第２のトリガとを具備し、
前記第１のトリガの受動部は、前記ハウジングの受け凹部へ挿入されるケーブルに押されて受け凹部内へ没入することにより、当該トリガを施錠許容位置へ移動させるように配置され、
前記第２のトリガの受動部は、拘束位置へ移動する前記蓋体に押されて前記ハウジング内へ没入することにより、当該トリガを施錠許容位置へ移動させるように配置されることを特徴とする充電ケーブルのロック装置。
【請求項２】
前記第１のトリガは、基端側において前記ハウジングに枢支され、中間に前記受動部を有し、先端側に施錠阻害部を有し、施錠阻害位置と施錠許容位置との間を正逆回転自在で、
前記受動部は、施錠阻害位置において前記ハウジングの受け凹部内に突出してこれを横断し、受け凹部へ挿入されるケーブルに押されて受け凹部内へ没入することにより、当該トリガを施錠許容位置へ回転させるように配置され、
前記施錠阻害部は、施錠阻害位置において前記ハウジング内における前記止め金の施錠方向の回転進路上に突出し、施錠許容位置において止め金の施錠方向の回転進路上から退避するように配置されることを特徴とする請求項１に記載の充電ケーブルのロック装置。
【請求項３】
前記ハウジングは、前記受け凹部の縁部に、拘束位置における前記蓋体の一部を受ける蓋受け段部を具備し、
前記第２のトリガは、先端側に前記受動部を有し、当該受動部を前記ハウジングの蓋受け段部上に突出させた施錠阻害位置と当該受動部を蓋受け段部の内側に没入させた施錠許容位置との間を進退自在に前記ハウジングに支持され、前記施錠阻害部は、当該トリガの施錠阻害位置においてハウジング内における前記止め金の施錠方向の回転進路上に突出し、施錠許容位置において止め金の施錠方向の回転進路上から退避するように配置されることを特徴とする請求項１又は２に記載の充電ケーブルのロック装置。
【発明の詳細な説明】
【技術分野】
【０００１】
この発明は、給電設備から電気自動車のバッテリへ充電する際等に用いられる充電用ケーブルが、充電中に第三者に持ち去られることがないように充電ケーブルと給電設備へ錠止するロック装置に関する。
【背景技術】
【０００２】
給電設備から電気自動車のバッテリへ充電する際等に用いられる充電用ケーブルは、自動車とは別体に構成される専用のもので、一端に、給電設備へ接続される受電コネクタ、他端に、バッテリへ接続される給電コネクタを有し（例えば特許文献１参照）、比較的高価なものである。一般に受電コネクタと給電コネクタは、ケーブルの直径より大きく構成される。
【先行技術文献】
【特許文献】
【０００３】
【特許文献１】特開平９−１６１８８４
【発明の概要】
【発明が解決しようとする課題】
【０００４】
ところで、電気自動車の充電は、各電気自動車がそれぞれ車載する充電用ケーブルを用いて、不特定人が使用する給電設備に接続して行うことが想定される。電気自動車の充電は、ガソリン車の給油にように手短に行えないから、充電中、運転者が自動車から離れることが想定され、さらにこの間に充電用ケーブルが盗難にあう危険がある。
したがって、この出願に係る発明は、充電用ケーブルを、使用中に給電設備に締結して取り外し不可能にロックする装置を提供することを目的としている。
【課題を解決するための手段】
【０００５】
以下、添付図面の符号を参照して説明するが、本発明はこれに限定されるものではない。
上記課題を解決するための、この出願に係る発明のロック装置１は、ケーブルＣを受け入れて拘束するために給電設備に固着されるハウジング２と、このハウジング２にケーブルを拘束するためにハウジング２に枢支される蓋体３と、この蓋体３を拘束位置でハウジング２に錠止するための錠前５及び止め金７と、ハウジング２にケーブルＣが受け入れられ、かつ蓋体３が拘束位置に配置されたことを検知して錠前５の施錠操作を許容するように、ケーブルＣ又は蓋体３の動作に連動する第１及び第２のトリガ８，９とを具備する。
ハウジング２は、給電設備に固着され、外側面にケーブルＣを受け入れる受け凹部２ａを有する。蓋体３はハウジング２に枢支され、拘束位置と解放位置との間を正逆回転し、拘束位置において、受け凹部２ａにケーブルＣを受け入れた状態で当該受け凹部２ａ上を横断してケーブルＣの抜き出しを不可能とし、解放位置においては、受け凹部２ａ上から退避し、ケーブルＣの抜き出しを可能とする。錠前５は、ハウジング２に固着され、施錠時のみキー６を抜き差し可能である。錠前５のロータに結合される止め金７は、キー操作により、施錠位置と解錠位置の間を回転自在で、施錠位置において拘束位置にある蓋体３に係合してこれを錠止する。第１のトリガ８は、受動部８ｃと施錠阻害部８ｂとを具備し、施錠阻害位置と施錠許容位置との間を往復移動自在にハウジング２に支持され、常時は施錠阻害位置へ付勢される。受動部８ｃは、トリガ８の施錠阻害位置において受け凹部２ａ内へ突出し、受け凹部へ挿入されるケーブルＣに押されて没入することにより、トリガ８を施錠許容位置へ移動させるように配置される。施錠阻害部８ｂは、トリガ８の施錠阻害位置において止め金７の施錠方向の回転進路上に配置され、止め金７の施錠動作を阻止し、施錠許容位置においては当該回転通路から退避する。第２のトリガ９は、受動部９ａと施錠阻害部９ｂとを具備し、施錠阻害位置と施錠許容位置との間を往復移動自在にハウジング２に支持され、常時は施錠阻害位置へ付勢される。受動部９ａは、蓋体３に押されて第２のトリガ９を施錠阻害位置から施錠許容位置へと移動させる部位であり、蓋体３が拘束位置においてハウジング２に重なる位置においてハウジング２から突出しているが、拘束位置に来る蓋体３に押されて没入する。施錠阻害部９ｂは、第２のトリガ９が施錠阻害位置にあるとき、止め金７の施錠方向の回転進路上に配置され、止め金７の施錠動作を阻止し、施錠許容位置においては当該回転通路から退避する。
【発明の効果】
【０００６】
この出願に係る発明の装置によれば、充電用ケーブルＣを、使用中に給電設備に締結して取り外し不可能にロックし、充電用ケーブルＣの盗難を防止することができる。ハウジング２の受け凹部２ａへケーブルＣが受け入れられておらず、蓋体３が解放位置にある状態、すなわち給電設備が使用されていない状態においては、第１，第２のトリガ８，９が施錠阻害位置にあって、止め金７の施錠方向への回転を阻止する。したがって、施錠することができず、キー６を錠前５から抜き取ることもできない。不使用時に、いたずらにロック状態で施錠されるおそれがない。
【図面の簡単な説明】
【０００７】
【図１】本発明の実施形態に係る充電ケーブルのロック装置の非ロック状態の正面図である。
【図２】図１のロック装置のロック状態の正面図である。
【図３】図１におけるIII−III断面図である。
【図４】図１におけるIV−IV断面図である。
【図５】図２におけるV−V断面図である。
【図６】図２におけるVI−VI断面図である。
【図７】施錠阻害位置における第１のトリガと止め金との関係を概略的に示すもので、（Ａ）は平面図、（Ｂ）は正面図である。
【図８】施錠阻害位置における第２のトリガと止め金との関係を概略的に示すもので、（Ａ）は平面図、（Ｂ）は正面図である。
【図９】施錠許容位置における第１のトリガと止め金との関係を概略的に示すもので、（Ａ）は平面図、（Ｂ）は正面図である。
【図１０】施錠許容位置における第２のトリガと止め金との関係を概略的に示すもので、（Ａ）は平面図、（Ｂ）は正面図である。
【発明を実施するための形態】
【０００８】
図面を参照してこの発明の実施の形態を説明する。
充電用ケーブルＣは、ケーブル本体の一端に、本体より大径の受電コネクタ、他端に、本体より大径の給電コネクタをそれぞれ備える（図示せず）。
【０００９】
ロック装置１は、充電用ケーブルＣの使用中に、これを給電設備に締結して取り外し不可能にロックする装置であり、図示しない給電設備に固着されるハウジング２に組み込まれる。
【００１０】
ハウジング２は、外側面（前面側）に、ケーブルＣを受け入れる溝状の受け凹部２ａを有する。ハウジング２には、受け凹部２ａの外側の縁に沿う軸４により、蓋体３の基端部が枢着される。蓋体３は、ハウジング２の受け凹部２ａ内に受け入れられたケーブルＣを拘束するためのもので、解放位置と拘束位置の間を受け凹部２ａの軸線直交方向に回転自在である。蓋体３は、先端側の縁３ａの中央部に、ハウジング２側へ突出する係合部３ｂを有する。一方、ハウジング２には、受け凹部２ａの内側の縁に、拘束位置において蓋体の係合部３ｂが嵌合する凹部２ｂと、蓋体３の先端側の縁３ａが嵌合する段部２ｃが形成される。
【００１１】
拘束位置において蓋体３をハウジング２に錠止するための錠前５が、ハウジング２に固着される。錠前５は、受け凹部２ａに隣接し、軸線を前後方向に向けて設けられ、キー６の操作により、ロータに固着された止め金７を解錠位置と施錠位置との間で９０°正逆回転させるものである。キー６は、施錠位置においてのみ抜き取りできるようになっている。
【００１２】
止め金７は、図２，５に示す施錠位置において、拘束位置にある蓋体３の係合部３ｂに係合し、蓋体３を拘束位置に錠止する。
【００１３】
ケーブルＣが受け凹部２ａ内に受け入れられ、かつ蓋体３が拘束位置に配置された状態でないと、錠前５を施錠操作できないようにするための第１，第２のトリガ８，９が、ハウジング２に設けられる。
【００１４】
図３，５に示すように、第１のトリガ８は、軸４の後方に位置して、これと平行に配置された枢軸１０により、基端部８ａにおいてハウジング２に枢支され、受け凹部２ａ内を横断する施錠阻害位置（図３）と受け凹部２ａの外側に配置される施錠許容位置（図５）の間を正逆回転自在であり、ばね１１により、常時図３に示す施錠阻害位置に回転付勢される。トリガ８は、先端に施錠阻害部８ｂを有し、中間に受動部８ｃを有する。図３に示す施錠阻害位置において、施錠阻害部８ｂは、止め金７の施錠操作方向の回転進路上に配置され（図７）、受動部８は受け凹部２ａ内へ突出する。また、図５に示す施錠許容位置においては、受動部８がケーブルＣに押されて受け凹部２ａ内へ没入し、施錠阻害部８ｂは、止め金７の施錠操作方向の回転進路から後方へ外れた位置（図９）に配置される。
【００１５】
第２のトリガ９は、受け凹部２ａの他方の縁に位置してハウジング２に支持され、施錠阻害位置（図８）と施錠許容位置（図１０）との間を前後方向に移動自在で、ばね１２により、常時前方の施錠阻害位置に付勢される。トリガ９は、前方の受動部９ａと、中間の施錠阻害部９ｂと、後方のばね受け軸部９ｃとを具備する。受動部９ａは、ハウジング２の段部２ｃに開口する前後方向の支持孔２ｄに摺動自在に嵌合し、常時は段部２ｃから前方へ突出している。施錠阻害部９ｂは、受動部９ａに対して軸線直交方向に拡大し、常時は支持孔２ｄの下縁に当接してトリガ９を施錠阻害位置に保持している。施錠阻害部９ｂは、図３，４に示す施錠阻害位置において止め金７の施錠操作方向の回転進路上に配置（図８）され、図５に示す施錠許容位置において、止め金７の施錠操作方向の回転進路から後方へ外れた位置（図１０）に配置される。
【００１６】
電気自動車に充電を行う場合には、給電設備の近くに自動車を止めて、車載の充電用ケーブルＣを取り出し、これで給電設備と自動車のバッテリとの間を接続すると共に、ケーブルＣの延長途上を、図１，４に示すように、蓋体３を開いた状態のロック装置１の受け凹部２ａに嵌合させる。図２，５，６に示すように、蓋体３を、ケーブルＣの前方を横断する拘束位置へ９０度回転させ、凹部２ａを閉じたうえ、キー６を施錠位置へ９０度回転させることにより、止め金７を施錠位置に回転させ、図５に示すように、蓋体３の係合部３ｂに係合させる。この状態で、キー６を錠前から抜き、充電完了まで待つことになる。これで、錠前５を解錠しない限り、充電ケーブルＣを給電設備から取り外すことができなくなる。充電が完了するまでの間、キー６を携帯すれば、給電設備から離れても、充電ケーブルＣを持ち去られるおそれはない。
【００１７】
この間のロック装置１の動作を詳しく説明する。いま、ロック装置１は、図１，３，４に示すように、ケーブルＣを受け入れておらず、蓋体３は前方へ起立した解放位置、錠前５は解錠位置にある。このとき、トリガ８，９は施錠阻害位置にあり、図７，８に示すように、トリガ８の施錠阻害部８ｂと、トリガ９の施錠阻害部９ｂが、それぞれ止め金７の施錠方向への回転進路上にある。このため、止め金７は施錠位置へ回すことができず、したがって、キー６を錠前５から抜き取ることができない。
【００１８】
この状態で、図２，５，６に示すように、受け凹部２ａにケーブルＣが嵌合されると、凹部２ａから突出したトリガ８の受動部８ｃがケーブルＣに押されてハウジング２内へ押し込まれ、その先端の施錠阻害部８ｂが、止め金７の施錠方向への回転進路上から退避する（図９）。また、図５に示すように、蓋体３を拘束位置へ回転させて凹部２ａを閉じると、図１０に示すように、トリガ９の受動部９ａが蓋体３に押し込まれ、施錠阻害部９ｂも止め金７の施錠方向への回転進路上から退避する。この状態において、キー６で錠前５を施錠方向へ回転させると、止め金７が施錠位置へ回転して、蓋体３の係合部３ｂに係合し、蓋体３を拘束位置で施錠することができる。
【００１９】
充電が完了したら、錠前５に、キー６を差して、解錠位置に回転させると、止め金７が係合部３ｂから外れ、蓋体３が解放される。蓋体３を図３に示す解放位置へ回転させれば、ケーブルＣを取り外すことができる。ケーブルＣを取り外すと、ばね１１，１２の力でトリガ８、９がそれぞれ施錠阻害位置へ復帰する。
【符号の説明】
【００２０】
１    ロック装置
２    ハウジング
２ａ  受け凹部
２ｂ  凹部
２ｃ  段部
２ｄ  支持孔
３    蓋体
３ａ  縁部
３ｂ  係合部
４    枢軸
５    錠前
６    キー
７    止め金
８    第１のトリガ
８ａ  基部
８ｂ  施錠阻害部
８ｃ  受動部
９    第２のトリガ
９ａ  受動部
９ｂ  施錠阻害部
９ｃ  軸部
１０  枢軸
１１  ばね
１２    ばね
【図１】
2012003888.tif 000003
【図２】
2012003888.tif 000004
【図３】
2012003888.tif 000005
【図４】
2012003888.tif 000006
【図５】
2012003888.tif 000007
【図６】
2012003888.tif 000008
【図７】
2012003888.tif 000009
【図８】
2012003888.tif 000010
【図９】
2012003888.tif 000011
【図１０】
2012003888.tif 000012